(57)【要約】【課題】医師や被撮影者等が表示された身体特有情報と被撮影者を比較して、被撮影者本人のものと確認できる。【解決手段】放射線を照射して被撮影者を撮像し、この撮像により記憶して放射線画像を得る放射線画像検出器であって、被撮影者と放射線画像とを対応付けるＩＤ情報中に被撮影者の身体特有情報を有し、身体特有情報を表示する表示手段または身体特有情報を入力する情報入力手段の少なくとも一方を備える。【選択図】図１
2005102854.tif 000002
【特許請求の範囲】
【請求項１】
放射線を照射して被撮影者を撮像し、この撮像により記憶して放射線画像を得る放射線画像検出器であって、
被撮影者と放射線画像とを対応付けるＩＤ情報中に被撮影者の身体特有情報を有し、
前記身体特有情報を表示する表示手段または前記身体特有情報を入力する情報入力手段の少なくとも一方を備えることを特徴とする放射線画像検出器。
【請求項２】
前記身体特有情報は、顔、瞳、指紋の少なくともいずれか１つを含むことを特徴とする請求項１に記載の放射線画像検出器。
【請求項３】
前記情報入力手段は、カメラ、スキャナの少なくともいずれか１つを含むことを特徴とする請求項１に記載の放射線画像検出器。
【請求項４】
前記放射線画像検出器は、入射した放射線の強度に応じた発光を行う第１層と、
前記第１層から出力された光を電気エネルギーに変換する第２層と、
前記第２層で得られた電気エネルギーの蓄積およびこの蓄積された電気エネルギーに基づく信号の出力を行う第３層と、
前記第１層、第２層および第３層を保持する第４層を有する撮像パネルを備え、
前記第２層が光電変換可能な有機化合物を用いて形成されており、前記第３層が有機半導体を用いて形成されており、第４層が樹脂で形成されており、前記第３層から出力された信号に基づいて、入射した放射線の画像データを出力することを特徴とする請求項１乃至請求項３のいずれか１項に記載の放射線画像検出器。
【請求項５】
放射線を照射する放射線画像撮影装置であって、
被撮影者と放射線画像とを対応付けるＩＤ情報中に被撮影者の身体特有情報を有し、
前記身体特有情報を表示する表示手段または前記身体特有情報を入力する情報入力手段の少なくとも一方を備えることを特徴とする放射線画像撮影装置。
【請求項６】
前記身体特有情報は、顔、瞳、指紋の少なくともいずれか１つを含むことを特徴とする請求項５に記載の放射線画像撮影装置。
【請求項７】
前記情報入力手段は、カメラ、スキャナの少なくともいずれか１つを含むことを特徴とする請求項５に記載の放射線画像撮影装置。
【請求項８】
放射線を照射して被撮影者を撮像し、この撮像により記憶して放射線画像を得る放射線画像検出器を備えることを特徴とする請求項５乃至請求項７のいずれか１項に記載の放射線画像撮影装置。
【請求項９】
前記放射線画像検出器は、入射した放射線の強度に応じた発光を行う第１層と、
前記第１層から出力された光を電気エネルギーに変換する第２層と、
前記第２層で得られた電気エネルギーの蓄積およびこの蓄積された電気エネルギーに基づく信号の出力を行う第３層と、
前記第１層、第２層および第３層を保持する第４層を有する撮像パネルを備え、
前記第２層が光電変換可能な有機化合物を用いて形成されており、前記第３層が有機半導体を用いて形成されており、第４層が樹脂で形成されており、前記第３層から出力された信号に基づいて、入射した放射線の画像データを出力することを特徴とする請求項８に記載の放射線画像撮影装置。
【請求項１０】
放射線を照射して被撮影者を撮像する放射線画像撮影装置と、この撮像により記憶して放射線画像を得る放射線画像検出器とを備える放射線画像診断システムであり、
被撮影者と放射線画像とを対応付けるＩＤ情報中に被撮影者の身体特有情報を有し、
前記身体特有情報を入力する情報入力手段と、
前記身体特有情報を表示する表示手段とを備え、
前記情報入力手段により被撮影者の身体特有情報を入力し、
前記入力した身体特有情報と、被撮影者のＩＤ情報中の身体特有情報とを照合することを特徴とする放射線画像診断システム。
【請求項１１】
前記照合した結果を、前記放射線画像撮影装置または前記放射線画像検出器の少なくとも一方に表示することを特徴とする請求項１０に記載の放射線画像診断システム。
【請求項１２】
前記身体特有情報は、顔、瞳、指紋の少なくともいずれか１つを含むことを特徴とする請求項１０または請求項１１に記載の放射線画像診断システム。
【請求項１３】
前記情報入力手段は、カメラ、スキャナの少なくともいずれか１つを含むことを特徴とする請求項１０乃至請求項１２のいずれか１項に記載の放射線画像診断システム。
【請求項１４】
前記放射線画像検出器は、入射した放射線の強度に応じた発光を行う第１層と、
前記第１層から出力された光を電気エネルギーに変換する第２層と、
前記第２層で得られた電気エネルギーの蓄積およびこの蓄積された電気エネルギーに基づく信号の出力を行う第３層と、
前記第１層、第２層および第３層を保持する第４層を有する撮像パネルを備え、
前記第２層が光電変換可能な有機化合物を用いて形成されており、前記第３層が有機半導体を用いて形成されており、第４層が樹脂で形成されており、前記第３層から出力された信号に基づいて、入射した放射線の画像データを出力することを特徴とする請求項１０乃至請求項１３のいずれか１項に記載の放射線画像診断システム。
【発明の詳細な説明】
【技術分野】
【０００１】
この発明は、医療における放射線画像診断の産業分野に用いられ、特に診断目的に用いる放射線画像を得るための放射線画像検出器、放射線画像撮影装置及び放射線画像診断システムに関する。
【背景技術】
【０００２】
従来、放射線画像を得る方法として、蛍光増感紙と放射線写真フィルムとを組み合わせた所謂スクリーンフイルムシステム（ＳＦシステム）が放射線画像形成に用いられている。このＳＦシステムでは、被写体を透過したＸ線等の放射線が蛍光増感紙に入射されると、蛍光増感紙に含まれる蛍光体が放射線のエネルギーを吸収して蛍光を発する。この発光により、蛍光増感紙に密着されるように重ね合わされた放射線写真フィルムが感光し、放射線写真フィルム上に放射線画像が形成される。
【０００３】
しかし、ＳＦシステムでは、撮影に用いる放射線写真フィルムと蛍光増感紙との感度領域を一致させて撮影を行う必要がある。また、放射線写真フィルムに対して化学的現像及び定着等の処理をしなければならず、放射線画像が得られるまでに時間を要してしまうとともに、使用した現像液や定着液が廃液となり環境上好ましいものではない。
【０００４】
また、ＳＦシステムはアナログ画像であり、デジタルネットワークシステムを利用する遠隔診断などを行うためには、ＳＦシステムによって得られた放射線画像の画像信号をデジタル信号に変換する作業等が必要となる。
【０００５】
このため、近年の放射線画像撮影システムにおいては、ＳＦシステムに代わってデジタル式Ｘ線画像診断装置であるコンピューテッドラジオグラフィ（ＣＲ）やフラットパネル型の放射線ディテクタ（ＦＰＤ）など、放射線画像のデジタル電気信号を取り出して放射線画像を得るシステムが登場している。このようなシステムでは、ＳＦシステムのように放射線フィルムを用いないので、現像処理などの煩雑なプロセスがなく、迅速に画像表示装置の画面上、例えば陰極管や液晶表示パネルなどの画面上に放射線画像を描くことができる。
【０００６】
また、医用画像診断分野では、コンピュータ断層撮影装置（ＣＴ）や核磁気共鳴断層撮影装置（ＭＲＩ）などデジタル放射線画像検出手段が近年多く用いられるようになっており、これらの画像とあわせてネットワーク上にのせることによって、遠隔診断などが簡便に行えるようになっている。
【０００７】
放射線技師は、被検者の氏名・ＩＤなど被検者情報と撮影依頼が書かれた照射録カードをみて、患者を呼んで確認をした後、これらの情報を入力する。被検者情報に関しては、氏名、ＩＤ番号、生年月日、性別、カルテ番号、担当医師名、疾病名などを入力するが、他に、最近では、入力業務の効率化或いは誤入力防止という観点から、情報入力部により磁気カードを読ませる方法や、バーコードを使った入力方式（例えば、特許文献１、特許文献２）、更にはＨＩＳと呼ばれる病院情報システムとリンクしているネットワークを使った入力方法、情報入力部とネットワークを組み合わせた入力方法も可能である。
【特許文献１】特開２０００−１０７１５９号公報
【特許文献２】特開２０００−２６２５０５号公報
【発明の開示】
【発明が解決しようとする課題】
【０００８】
本来、患者のＩＤ情報と撮影した画像が対応付けられるが、撮影時などの手違いで、撮影した画像が別の患者の画像情報として処理／保存されてしまう場合がある。例えば、別の患者のＩＤ情報が登録された放射線画像検出器で撮影してしまう間違いが起こりうる。特に、放射線画像検出器タイプでは、放射線画像検出器を登録してから持ち運ぶという作業が入るので、間違えを起こしやすい。
【０００９】
例えば、特開２００３−１７２７８３では、放射線画像検出器に表示機能をもうけて患者ＩＤなどを表示させるというものがあるが、確実に患者本人を特定できるものではない。
【００１０】
このような間違いが発生すれば、間違ったデータは確実に診断の妨げ、誤診のもとになったり、患者への不要な被爆になりかねない。
【００１１】
この発明は、かかる点に鑑みてなされたもので、医師や被撮影者等が表示された身体特有情報と被撮影者を比較して、被撮影者本人のものと確認できる放射線画像検出器、放射線画像撮影装置及び放射線画像診断システムを提供することを目的としている。
【課題を解決するための手段】
【００１２】
前記課題を解決し、かつ目的を達成するために、この発明は、以下のように構成した。
【００１３】
請求項１に記載の発明は、放射線を照射して被撮影者を撮像し、この撮像により記憶して放射線画像を得る放射線画像検出器であって、
被撮影者と放射線画像とを対応付けるＩＤ情報中に被撮影者の身体特有情報を有し、
前記身体特有情報を表示する表示手段または前記身体特有情報を入力する情報入力手段の少なくとも一方を備えることを特徴とする放射線画像検出器である。  請求項２に記載の発明は、前記身体特有情報は、顔、瞳、指紋の少なくともいずれか１つを含むことを特徴とする請求項１に記載の放射線画像検出器である。  請求項３に記載の発明は、前記情報入力手段は、カメラ、スキャナの少なくともいずれか１つを含むことを特徴とする請求項１に記載の放射線画像検出器である。
【００１４】
請求項４に記載の発明は、前記放射線画像検出器は、入射した放射線の強度に応じた発光を行う第１層と、
前記第１層から出力された光を電気エネルギーに変換する第２層と、
前記第２層で得られた電気エネルギーの蓄積およびこの蓄積された電気エネルギーに基づく信号の出力を行う第３層と、
前記第１層、第２層および第３層を保持する第４層を有する撮像パネルを備え、
前記第２層が光電変換可能な有機化合物を用いて形成されており、前記第３層が有機半導体を用いて形成されており、第４層が樹脂で形成されており、前記第３層から出力された信号に基づいて、入射した放射線の画像データを出力することを特徴とする請求項１乃至請求項３のいずれか１項に記載の放射線画像検出器である。
【００１５】
請求項５に記載の発明は、放射線を照射する放射線画像撮影装置であって、
被撮影者と放射線画像とを対応付けるＩＤ情報中に被撮影者の身体特有情報を有し、
前記身体特有情報を表示する表示手段または前記身体特有情報を入力する情報入力手段の少なくとも一方を備えることを特徴とする放射線画像撮影装置である。
【００１６】
請求項６に記載の発明は、前記身体特有情報は、顔、瞳、指紋の少なくともいずれか１つを含むことを特徴とする請求項５に記載の放射線画像撮影装置である。
【００１７】
請求項７に記載の発明は、前記情報入力手段は、カメラ、スキャナの少なくともいずれか１つを含むことを特徴とする請求項５に記載の放射線画像撮影装置である。
【００１８】
請求項８に記載の発明は、放射線を照射して被撮影者を撮像し、この撮像により記憶して放射線画像を得る放射線画像検出器を備えることを特徴とする請求項５乃至請求項７のいずれか１項に記載の放射線画像撮影装置である。
【００１９】
請求項９に記載の発明は、前記放射線画像検出器は、入射した放射線の強度に応じた発光を行う第１層と、
前記第１層から出力された光を電気エネルギーに変換する第２層と、
前記第２層で得られた電気エネルギーの蓄積およびこの蓄積された電気エネルギーに基づく信号の出力を行う第３層と、
前記第１層、第２層および第３層を保持する第４層を有する撮像パネルを備え、
前記第２層が光電変換可能な有機化合物を用いて形成されており、前記第３層が有機半導体を用いて形成されており、第４層が樹脂で形成されており、前記第３層から出力された信号に基づいて、入射した放射線の画像データを出力することを特徴とする請求項８に記載の放射線画像撮影装置である。
【００２０】
請求項１０に記載の発明は、放射線を照射して被撮影者を撮像する放射線画像撮影装置と、この撮像により記憶して放射線画像を得る放射線画像検出器とを備える放射線画像診断システムであり、
被撮影者と放射線画像とを対応付けるＩＤ情報中に被撮影者の身体特有情報を有し、
前記身体特有情報を入力する情報入力手段と、
前記身体特有情報を表示する表示手段とを備え、
前記情報入力手段により被撮影者の身体特有情報を入力し、
前記入力した身体特有情報と、被撮影者のＩＤ情報中の身体特有情報とを照合することを特徴とする放射線画像診断システムである。
【００２１】
請求項１１に記載の発明は、前記照合した結果を、前記放射線画像撮影装置または前記放射線画像検出器の少なくとも一方に表示することを特徴とする請求項１０に記載の放射線画像診断システムである。
【００２２】
請求項１２に記載の発明は、前記身体特有情報は、顔、瞳、指紋の少なくともいずれか１つを含むことを特徴とする請求項１０または請求項１１に記載の放射線画像診断システムである。
【００２３】
請求項１３に記載の発明は、前記情報入力手段は、カメラ、スキャナの少なくともいずれか１つを含むことを特徴とする請求項１０乃至請求項１２のいずれか１項に記載の放射線画像診断システム。
【００２４】
請求項１４に記載の発明は、前記放射線画像検出器は、入射した放射線の強度に応じた発光を行う第１層と、
前記第１層から出力された光を電気エネルギーに変換する第２層と、
前記第２層で得られた電気エネルギーの蓄積およびこの蓄積された電気エネルギーに基づく信号の出力を行う第３層と、
前記第１層、第２層および第３層を保持する第４層を有する撮像パネルを備え、
前記第２層が光電変換可能な有機化合物を用いて形成されており、前記第３層が有機半導体を用いて形成されており、第４層が樹脂で形成されており、前記第３層から出力された信号に基づいて、入射した放射線の画像データを出力することを特徴とする請求項１０乃至請求項１３のいずれか１項に記載の放射線画像診断システムである。
【発明の効果】
【００２５】
前記構成により、この発明は、以下のような効果を有する。
【００２６】
請求項１に記載の発明では、放射線画像検出器の表示手段に被撮影者の身体特有情報を表示することで、医師や被撮影者等が表示された身体特有情報と被撮影者を比較して確認することで、被撮影者本人と他人との間違いをなくすことができる。
【００２７】
また、放射線画像検出器の情報入力手段で被撮影者の身体特有情報を入力し、この入力した身体特有情報と、予め記憶した被撮影者のＩＤ情報中の身体特有情報とを照合することで、被撮影者本人を確認できる。
【００２８】
請求項２に記載の発明では、放射線画像検出器の身体特有情報が顔、瞳、指紋の少なくともいずれか１つを含むことで、医師や被撮影者等が被撮影者本人を簡単かつ確実に確認できる。
【００２９】
請求項３に記載の発明では、放射線画像検出器の情報入力手段がカメラ、スキャナの少なくともいずれか１つを含むことで、被撮影者の顔や指紋等の身体特有情報を入力することができる。
【００３０】
請求項４に記載の発明では、放射線画像検出器が、安価でかつ軽量で高画質のデジタル放射線画像が得られ、しかも配線が不要であり、またコントローラとは独立し、しかも離れた位置でも撮影可能で使い勝手がよい。
【００３１】
請求項５に記載の発明では、放射線画像撮影装置の表示手段に被撮影者の身体特有情報を表示することで、医師や被撮影者等が表示された身体特有情報と被撮影者を比較して確認することで、被撮影者本人と他人との間違いをなくすことができる。
【００３２】
また、放射線画像撮影装置の情報入力手段で被撮影者の身体特有情報を入力し、この入力した身体特有情報と、予め記憶した被撮影者のＩＤ情報中の身体特有情報とを照合することで、被撮影者本人を確認できる。
【００３３】
請求項６に記載の発明では、放射線画像撮影装置の身体特有情報が顔、瞳、指紋の少なくともいずれか１つを含むことで、医師や被撮影者が被撮影者本人を簡単かつ確実に確認できる。
【００３４】
請求項７に記載の発明では、放射線画像撮影装置の情報入力手段がカメラ、スキャナの少なくともいずれか１つを含むことで、被撮影者の顔や指紋等の身体特有情報を入力することができる。
【００３５】
請求項８に記載の発明では、放射線画像撮影装置で放射線を照射して被撮影者を撮像し、この撮像を放射線画像検出器に記憶して放射線画像を得ることができる。
【００３６】
請求項９に記載の発明では、放射線画像撮影装置の放射線画像検出器が、安価でかつ軽量で高画質のデジタル放射線画像が得られ、しかも配線が不要であり、またコントローラとは独立し、しかも離れた位置でも撮影可能で使い勝手がよい。
【００３７】
請求項１０に記載の発明では、情報入力手段で被撮影者の身体特有情報を入力し、この入力した身体特有情報と、被撮影者のＩＤ情報中の身体特有情報とを照合することで、被撮影者本人を確認できる。
【００３８】
請求項１１に記載の発明では、照合した結果を、放射線画像撮影装置または放射線画像検出器の少なくとも一方に表示することで、より確実に被撮影者本人を確認できる。
【００３９】
請求項１２に記載の発明では、放射線画像診断システムの身体特有情報が顔、瞳、指紋の少なくともいずれか１つを含むことで、医師や被撮影者が被撮影者本人を簡単かつ確実に確認できる。
【００４０】
請求項１３に記載の発明では、放射線画像診断システムの情報入力手段がカメラ、スキャナの少なくともいずれか１つを含むことで、被撮影者の顔や指紋等の身体特有情報を入力することができる。
【００４１】
請求項１４に記載の発明では、放射線画像診断システムの放射線画像検出器が、安価でかつ軽量で高画質のデジタル放射線画像が得られ、しかも配線が不要であり、またコントローラとは独立し、しかも離れた位置でも撮影可能で使い勝手がよい。
【発明を実施するための最良の形態】
【００４２】
以下、この発明の放射線画像検出器、放射線画像撮影装置及び放射線画像診断システムの実施の一形態について図を用いて詳細に説明するが、この発明の構成はこの実施の形態の説明または図面に示したものに限られるものではない。また、この発明の実施の形態は、発明の最も好ましい形態を示すものであり、この発明の用語はこれに限定されない。
【００４３】
図１はカセッテ型放射線画像検出器の一部を破断した構造を示す斜視図である。
【００４４】
この実施の形態の放射線画像検出器は、カセッテ型放射線画像検出器１であり、ベース板２にケース板３を取り付けて筐体４が構成され、カセッテとして携帯可能になっている。筐体４のケース板３には、グリッド６が取り付けられ、グリッド６により散乱放射線を除去する。さらに、筐体４のケース板３には、表示部８及び操作部９が配置されている。
【００４５】
また、筐体４の内部に、撮像パネル１０、記憶部１４及び電力供給手段を構成するバッテリ１６が内蔵されている。撮像パネル１０には、走査駆動回路１１、信号選択回路１２が含まれる。この実施の形態では、ブロック状のバッテリ１６が制御部１３に近接して配置され、筐体４の端部から引き出して交換可能になっている。
【００４６】
また、カセッテ型放射線画像検出器１には、撮像パネル１０の温度を検知する温度検知手段２６が配置されている。操作部９には、電源スイッチ１９、操作パネル１８、外部出力スイッチ２０及び操作キー９ａが配置されている。表示部８は、操作部９と近接して配置され、画像、操作情報及び警告等が表示される。
【００４７】
また、筐体４の側部には、コネクタ２１が設けられ、このコネクタ２１は電源供給端子２１ａと転送端子２１ｂとを有する。コネクタ２１には、コネクタ２２が接続可能であり、コネクタ２２は電源供給端子２２ａと転送端子２２ｂとを有する。コネクタ２１にコネクタ２２を接続することによって、電源供給端子２１ａと電源供給端子２２ａが接続され、転送端子２１ｂと転送端子２２ｂが接続され、外部より電力供給可能で、また情報の転送を行なうことができる。また、１本のケーブル２３を介してコントローラ２５とカセッテ型放射線画像検出器１とが連結し、ケーブル２３でコントローラ２５と接続したままでも使用可能である。
【００４８】
このカセッテ型放射線画像検出器１は、電源供給端子２１ａと電源供給端子２２ａを介して外部より電力供給してバッテリ１６に充電して使用するが、電力供給する状態で使用可能である。また、転送端子２１ｂと転送端子２２ｂは、画像データを転送し、また外部より少なくとも出力指令またはＩＤ情報を転送し、ケーブル２３でコントローラ２５と接続したままでも使用可能である。
【００４９】
また、この実施の形態のカセッテ型放射線画像検出器１は、コネクタ２１とコネクタ２２とを接続しないで、操作部９の切替スイッチ１７の操作により放射線検出と読取開始を行なうことができ、配線が不要である。このように、カセッテ型放射線画像検出器１は、コントローラ２５とは独立し、しかも離れた位置でも撮影可能で使い勝手がよい。
【００５０】
このカセッテ型放射線画像検出器１には、情報入力手段２００が備えられ、この情報入力手段２００では、事前に被撮影者の身体特有情報を入力する。
【００５１】
図２はカセッテ型放射線画像検出器の概略構成を示すブロック図である。
【００５２】
この実施の形態のカセッテ型放射線画像検出器１は、撮像パネル１０が照射された放射線の強度に応じて画像データを生成して放射線画像の読み取りを行なう。操作部９に配置されている電源スイッチ１９の投入で、バッテリ１６から電力を各所に供給し、撮影終了後は電源スイッチ１９を切って省電力する。また、電源スイッチ１９は、撮像パネル１０の放射線画像の読み取りが一定時間以上行なわれないときは自動的に電源が切れ、省電力する。
【００５３】
バッテリ１６から操作部９、撮像パネル１０、制御部１３、表示部８、記憶部１４及びデータ転送部２４に電力が供給される。バッテリ１６の充電電圧を電圧検出手段１５ｂにより検出し、この充電電圧情報を制御部１３に送る。
【００５４】
切替スイッチ１７は、切替手段１７ａを構成し、放射線検出手段１７ａ１と読取開始手段１７ａ２のうちどちらの手段かを切り替え、切替信号を制御部１３に送る。放射線検出手段１７ａ１が選択された場合には、放射線の検出後に自動的に読取を開始する。例えばスイッチである読取開始手段１７ａ２が選択された場合には、放射線照射後、スイッチを走査することにより読取が開始される。
【００５５】
操作パネル１８は、画像データの処理内容を設定し、この操作パネル１８により画像データの処理内容を設定する。外部出力スイッチ２０は、外部出力制御手段２０ａを構成し、外部出力制御手段２０ａからの指令を制御部１３に送る。制御部１３の制御手段１３ａは外部出力制御手段２０ａからの指令に基づき、データ転送部２４を介して画像データをコントローラ２５に送り、この後自動的に外部出力機１０１から画像を出力させる。
【００５６】
外部出力スイッチ２０を例えば所定のタイミングで押すと、対応する画像データはコントローラ２５に転送後、自動的に外部出力機１０１に画像を出力することができる。
【００５７】
また、カセッテ型放射線画像検出器１は、画像データを無線信号に返還して外部の信号受信機１００に転送する画像データ転送手段２４ａを有し、この画像データ転送手段２４ａは、画像データを光信号に返還して外部の信号受信機１００に転送する。
【００５８】
さらに、表示部８には、画像データをコントローラ２５に転送したかどうかを表示する転送表示手段８ｂが設けられ、この転送表示手段８ｂに画像データをコントローラ２５に転送したかどうかを表示することで、転送の確認が容易で使用に便利である。記憶手段１４ａには、予め別のところで入力された（読み取られた）ＩＤ情報が記憶されており、そのＩＤ情報に画像を出力する旨入力されているときは、画像データがコントローラ２５に転送後、外部出力機１０１から画像が出力される。
【００５９】
また、表示部８にはバッテリ１６の充電状態を表示する充電状態表示手段８ｃが設けられ、充電状態を目視で容易に知ることができ、電力不足で使用不能になることが回避される。充電状態表示手段８ｃは、電圧検出手段１５ｂからの充電電圧値に基づきバッテリ１６の充電電圧が所定以下のときは警告するようにしてもよく、例えば電源電圧が不十分のときは、点滅やブザー等で警告することで、確実に充電不足を事前に知らせることができる。
【００６０】
記憶部１４には記憶手段１４ａが設けられ、この記憶手段１４ａには、撮像パネル１０の走査駆動回路１１によって駆動される信号選択回路１２から読み取られた画像データが記憶される。
【００６１】
制御部１３は、制御手段１３ａ、画像処理手段１３ｂ、画像欠陥補正手段１３ｃ及び表示制御手段１３ｄを有する。制御手段１３ａは、撮像パネル１０、表示部８、記憶部１４及びデータ転送部２４等を制御する。
【００６２】
制御手段１３ａは、操作部９の例えば画像確認用の操作キー９ａが操作されたときに、制御手段１３ａにより記憶手段１４ａに記憶された画像データを読み出し、表示手段８ａに処理前あるいは処理後の放射線画像を表示する。
【００６３】
制御手段１３ａでは、記憶手段１４ａに記憶された画像データのデータ量を監視して、記憶手段１４ａに記憶された放射線画像の枚数や記憶可能な放射線画像の枚数及び記憶手段１４ａの空き容量が例えば１画面分の画像データのデータ量よりも少なくなったことを示す警告等を行なう。このように、制御手段１３ａは、記憶手段１４ａの記憶容量の残量チェック機能を有し、表示部８に記憶容量の残量を表示する記憶容量表示手段を構成する報知手段８ｄを有する。
【００６４】
このカセッテ型放射線画像検出器１では、事前に被撮影者の身体特有情報を情報入力手段２００により入力してＩＤ情報として記憶手段１４ａに登録しておく。このように、被撮影者と放射線画像とを対応付けるＩＤ情報中に被撮影者の身体特有情報を有する。この身体特有情報は、顔、瞳、指紋の少なくともいずれか１つを含む。
【００６５】
情報入力手段２００は、カメラ、スキャナの少なくともいずれか１つを含む。例えば、カメラで患者である被撮影者の顔、瞳を撮像し、顔、瞳の画像をＩＤ情報として記憶手段１４ａに登録する。また、スキャナで指紋を画像をＩＤ情報として記憶手段１４ａに登録する。
【００６６】
このカセッテ型放射線画像検出器１を用いて患者である被撮影者の放射線画像の撮影する前に、表示部８の表示手段８ａにＩＤ情報中に患者である被撮影者の身体特有情報を表示する。例えば、カメラで患者である被撮影者の顔、瞳を撮像し、顔、瞳の画像をＩＤ情報として記憶手段１４ａに登録している場合は、顔、瞳の画像を表示し、またスキャナで指紋を画像をＩＤ情報として記憶手段１４ａに登録している場合は、指紋を表示する。
【００６７】
このように表示手段８ａに被撮影者の身体特有情報を表示することで、医師や被撮影者が表示された身体特有情報と被撮影者を比較して確認することで、被撮影者本人と他人との間違いをなくすことができる。この身体特有情報が顔、瞳、指紋の少なくともいずれか１つを含むことで、医師や被撮影者等が被撮影者本人を簡単かつ確実に確認できる。
【００６８】
また、カセッテ型放射線画像検出器１の情報入力手段２００で被撮影者の身体特有情報を入力し、この入力した身体特有情報と、予め記憶手段１４ａに記憶した被撮影者のＩＤ情報中の身体特有情報とを照合し、この照合の結果を表示部８の表示手段８ａに表示、あるいは報知手段８ｄで報知することで、被撮影者本人を確認できる。報知手段８ｄでの報知は、音声によって患者であることに間違いないか否かの報知し、あるいは患者が間違っている場合は警報ブザーを鳴らし、間違いない場合は警報ブザーを鳴らさない等で行なう。
【００６９】
また、身体特有情報が顔、瞳、指紋の少なくともいずれか１つを含むことで、医師や被撮影者等が被撮影者本人を簡単かつ確実に確認できる。また、情報入力手段２００がカメラ、スキャナの少なくともいずれか１つを含むことで、被撮影者の顔や指紋等の身体特有情報を入力することができる。
【００７０】
予め記憶手段１４ａに記憶した被撮影者のＩＤ情報中の身体特有情報との照合は、コントローラ２５か、ネットワークや無線などでつながれた患者ＩＤ登録装置（図示せず）などで行なうが、制御部１３で行なってもよい。
【００７１】
さらに、放射線画像の撮影に関する情報は、特開２００３−１７２７８３号公報の段落［０１０８］〜［０１１０］に記載される。
【００７２】
画像処理手段１３ｂは、撮像パネル１０から得られる画像データに対して、操作パネル１８により設定された、またはあらかじめＩＤ情報などで入力された所定の処理を行なう。この画像処理手段１３ｂで行われる信号処理としては、階調処理、周波数処理、複数の画像の並べ替えを行う処理、信号圧縮処理、画素密度変換処理、ダイナミックレンジ圧縮処理等の各種画像処理、規格化条件を決定する処理等があり概略次のような内容の処理である。この画像処理については、特開２００３−１７２７８３号公報の段落［０１１９］〜［０１８２］に記載される。
【００７３】
また、カセッテ型放射線画像検出器１は、入射した放射線の強度に応じた発光を行う第１層と、第１層から出力された光を電気エネルギーに変換する第２層と、第２層で得られた電気エネルギーの蓄積およびこの蓄積された電気エネルギーに基づく信号の出力を行う第３層と、第１層、第２層および第３層を保持する第４層を有する撮像パネルを備え、第２層が光電変換可能な有機化合物を用いて形成されており、前記第３層が有機半導体を用いて形成されており、第４層が樹脂で形成されており、第３層から出力された信号に基づいて、入射した放射線の画像データを出力する。
【００７４】
この第１層は、セシウムアイオダイド（ＣｓＩ：Ｔｌ）あるいはガドリニウムオキシサルファイド（Ｇｄ2Ｏ2Ｓ：Ｔｂ）を用いて形成される。また、第１層は、酸素Ｏおよび希土類元素のガドリニウムＧｄ、ユウロピウムＥｕを含有する蛍光体粒子を用いて形成してもよく、蛍光体粒子は、希土類元素をＭとしたときに（Ｇｄ，Ｍ，Ｅｕ）2Ｏ3の一般式で示される物質である。第２層の光電変換可能な有機化合物は、導電性高分子化合物を用いて形成し、導電性高分子化合物にフラーレン若しくはカーボンナノチューブを含有させる。また、第３層の有機半導体は、分割されたシリコン積層構造の素子を用いて形成する。
【００７５】
このカセッテ型放射線画像検出器１の構成について、特開２００３−１７２７８３号公報の段落［０１８４］〜［０２１８］及び図１８〜図２６に記載される。
【００７６】
次に、放射線画像撮影装置を備える放射線画像診断システムについて説明する。この実施の形態の放射線画像診断システムは、放射線画像撮影装置として位相コントラスト乳房画像撮影装置を備え、図３は放射線画像診断システムに備える位相コントラスト乳房画像撮影装置の主要構成を示した説明図である。この放射線画像診断システムは、位相コントラスト乳房画像撮影装置３０１としてマンモグラフィ用の放射線画像撮影装置を用いているが、この実施例に限られない。
【００７７】
この位相コントラスト乳房画像撮影装置３０１には、小焦点放射線源３０２を支持する本体部３１３が設けられている。この本体部３１３には、照射方向に移動自在で被写体Ｈを支持する被写体台３０３と、被写体台３０３により支持された被写体Ｈを圧迫する上下動自在な圧迫部３１４と、本体部３１３に対して鉛直に垂下する支持軸３１８と、電源部３２０とが設けられている。
【００７８】
支持軸３１８の下端側には、被写体台３０３を介して小焦点放射線源３０２に対峙し、被写体Ｈを透過した放射線を検出する放射線画像検出器３１６が支持軸３１８に沿って移動自在に設けられている。このため、放射線画像検出器３１６が支持軸３１８に沿って移動自在、すなわち、小焦点放射線源３０２の照射方向に移動自在であるので、被写体Ｈと放射線画像検出器３１６との間隔Ｒ２、小焦点放射線源３０２と被写体台３０３との間隔Ｒ１、そして小焦点放射線源３０２と放射線源画像検出器３１６との間隔（Ｒ１＋Ｒ２）を変動できるようになっている。そして、支持軸３１８は、電気抵抗器としても機能し、放射線画像検出器３１６の位置に応じた抵抗値を検出する。検出された抵抗値は、制御部３０６に入力される。
【００７９】
また、撮影条件等の入力は、情報入力部３０５によって行われ、入力された情報は制御部３０６に送られる。制御部３０６では、入力された情報を基に本体部３１３の制御を行う。更に、支持軸３１８より入力された電気抵抗値に基づいて得られる小焦点放射線源３０２と放射線画像検出器３１６の距離に関する距離情報と入力条件を基に得られる管電圧情報を放射線画像両面読取装置３０７に送信し、放射線画像検出器に記憶された放射線画像を出力装置３６０に出力する。この出力装置３６０は、プリンタ、表示装置等で構成される。また、情報入力部３０５によって入力された撮影条件等の情報は、モニタ３１９に表示される。
【００８０】
被写体台３０３の下部及び放射線画像検出器３１６の下方には、放射線の照射量を検出する放射線量検出部３１５，３１７（フォトタイマ）が設けられている。この放射線量検出部３１５，３１７には、照射された放射線量に応じて瞬時に発光する蛍光体シート（検出部）と、蛍光体から発せられる発光光を検出する光検出器を備える蛍光体シートタイプ及び放射線を検出する半導体検出器を備える半導体検出器タイプなどがある。ここで、被写体台３０３の下部に設けられる放射線量検出部３１５は、被写体台３０３から退避可能となっている。尚、被写体台３０３の上部に放射線量検出部を設ける構成であっても良い。
【００８１】
この実施の形態の位相コントラスト乳房画像撮影装置３０１では、本体部３１３に身体特有情報を表示する表示手段３５０、身体特有情報を入力する情報入力手段３５１を備える。この表示手段３５０及び情報入力手段３５１は、小焦点放射線源３０２、被写体台３０３、被写体台３１６、制御部３０６に備えてもよく、あるいは放射線画像検出器３０３、３１６に設けてもよい。また、表示手段３５０と情報入力手段３５１は、別々に設けてもよく、一緒に設けてもよい。
【００８２】
例えば、図４に示すように、小焦点放射線源３０２に情報入力手段３５１のカメラを設け、図５に示すように、制御部３０６の情報入力部３０５を構成するコントロールパネル３０５ａに表示手段３５０を設けてもよい。
【００８３】
このように、放射線画像診断システムに身体特有情報を入力する情報入力手段３５１と、身体特有情報を表示する表示手段３５０とを備える。この情報入力手段３５１は、カメラ、スキャナの少なくともいずれか１つを含み、例えば、カメラで患者である被撮影者の顔、瞳を撮像し、顔、瞳の画像をＩＤ情報として制御部３０６に登録し、またスキャナで指紋を画像をＩＤ情報として制御部３０６に登録する。
【００８４】
そして、患者である被撮影者の放射線画像の撮影する前に、表示手段３５０にＩＤ情報中に患者である被撮影者の身体特有情報を表示する。例えば、カメラで患者である被撮影者の顔、瞳を撮像し、顔、瞳の画像をＩＤ情報として制御部３０６に登録している場合は、顔、瞳の画像を表示し、またスキャナで指紋の画像をＩＤ情報として制御部３０６に登録している場合は、指紋を表示する。
【００８５】
このように表示手段３５０に被撮影者の身体特有情報を表示することで、医師や被撮影者が表示された身体特有情報と被撮影者を比較して確認することで、被撮影者本人と他人との間違いをなくすことができる。この身体特有情報が顔、瞳、指紋の少なくともいずれか１つを含むことで、医師や被撮影者が被撮影者本人を簡単かつ確実に確認できる。
【００８６】
また、情報入力手段３５１で被撮影者の身体特有情報を入力し、この入力した身体特有情報と、予め制御部３０６に記憶した被撮影者のＩＤ情報中の身体特有情報とを照合し、この照合の結果を表示手段３５０に表示することで、被撮影者本人を確認できる。
【００８７】
身体特有情報として、医師が確認する場合は、顔情報が好ましい。情報を照合する場合は、全ての情報が利用できる。
【００８８】
上記実施例では、放射線画像検出器や放射線画像撮影装置に備え付けられたカメラやスキャナで得られた身体特有情報を用いているが、あらかじめ別の場所、例えば、患者ＩＤ登録用の端末などのコントローラ等（図示せず）にあらかじめ入力されたＩＤ情報のうちの顔情報などを表示部に表示するようにしても良い。
【産業上の利用可能性】
【００８９】
この発明は、医師や被撮影者等が表示された身体特有情報と被撮影者を比較して、被撮影者本人のものと確認でき、医療における放射線画像診断の産業分野に用いられ、特に診断目的に用いる放射線画像を得るものに適用できる。
【図面の簡単な説明】
【００９０】
【図１】カセッテ型放射線画像検出器の一部を破断した構造を示す斜視図である。
【図２】カセッテ型放射線画像検出器の概略構成を示すブロック図である。
【図３】位相コントラスト乳房画像撮影装置の主要構成を示した説明図である。
【図４】小焦点放射線源に情報入力手段を設ける実施の形態を示す図である。
【図５】コントロールパネルに表示手段を設ける実施の形態を示す図である。
【符号の説明】
【００９１】
１  カセッテ型放射線画像検出器
８  表示部
８ａ  表示手段
１３  制御部
１４  記憶部
１４ａ  記憶手段
２００  情報入力手段
【図１】
2005102854.tif 000003
【図２】
2005102854.tif 000004
【図３】
2005102854.tif 000005
【図４】
2005102854.tif 000006
【図５】
2005102854.tif 000007